(57)【要約】      （修正有）【課題】小型化、高倍率化、物体距離が有限の場合における変倍比低下の抑制を両立しうるズームレンズを得る。【解決手段】物体側から像側へ順に変倍のためには不動で正の屈折力の第１レンズ群Ｌ１、変倍及び合焦のために移動し負の屈折力の第２レンズ群Ｌ２、変倍用の負の屈折力の第３レンズ群Ｌ３、負または正の屈折力の第４レンズ群Ｌ４、正の屈折力の第５レンズ群Ｌ５から構成され、第２レンズ群の物体距離が無限遠における広角端の横倍率をβ2w、第２レンズ群と第３レンズ群の焦点距離を各々ｆ２、ｆ３とするとき、−０．９５＜１／β2w＜０．４、１．２＜ｆ２／ｆ３＜１０を満足する。【選択図】図１
2014038237.tif 000002
【特許請求の範囲】
【請求項１】
物体側から像側へ順に、変倍のためには不動で正の屈折力の第１レンズ群、変倍及び合焦のために移動し負の屈折力の第２レンズ群、変倍用の負の屈折力の第３レンズ群、負または正の屈折力の第４レンズ群、正の屈折力の第５レンズ群から構成され、
前記第２レンズ群の物体距離が無限遠における広角端の横倍率をβ2w、前記第２レンズ群と前記第３レンズ群の焦点距離を各々ｆ２、ｆ３とするとき、
−０．９５＜１／β2w＜０．４
１．２＜ｆ２／ｆ３＜１０
を満足することを特徴とするズームレンズ。
【請求項２】
前記第２レンズ群の物体距離が無限遠における望遠端の横倍率をβ2t、前記第３レンズ群の広角端における横倍率をβ3w、前記第３レンズ群の望遠端における横倍率をβ3tとするとき、
−０．７＜ −β2t／ β2w＜  ３
９＜ ｜β3t／ β3w｜
を満足することを特徴とする請求項１に記載のズームレンズ。
【請求項３】
前記第２レンズ群は２枚以上の負レンズと１枚以上の正レンズで構成されることを特徴とする請求項１又は２に記載のズームレンズ。
【請求項４】
前記第１レンズ群の焦点距離をｆ１、前記第２レンズ群と前記第３レンズ群の合成焦点距離をｆ２３とするとき、
２  ＜  |ｆ１／ｆ２３|  ＜  ６
【数１】
2014038237.tif 000006
を満足することを特徴とする請求項１乃至３のいずれか１項に記載のズームレンズ。
【請求項５】
広角端から望遠端への変倍に際して前記第２レンズ群及び第３レンズ群は物体側から像側へ移動し、
変倍比一定の条件においては、どの変倍比においても、無限遠から有限距離に合焦をする際に第２レンズ群は像側に移動する、ことを特徴とする請求項１乃至４のいずれか１項に記載のズームレンズ。
【請求項６】
請求項１乃至５のいずれか１項に記載のズームレンズと、該ズームレンズによって形成した像を受光する固体撮像素子を有していることを特徴とする撮像装置。
【発明の詳細な説明】
【技術分野】
【０００１】
本発明はズームレンズ及びそれを有する撮像装置に関し、テレビカメラ、ビデオカメラ、デジタルスチルカメラ、銀塩写真用カメラ等に好適なものである。
【背景技術】
【０００２】
テレビカメラ、銀塩フィルム用カメラ、デジタルカメラ、ビデオカメラ等の撮像装置には、大口径比、高ズーム比、且つ高い光学性能を有したズームレンズが要望される。
この中でテレビカメラ用のズームレンズにおいては、広角、高倍率化、小型軽量が比較的容易であることから、従来４群ズームレンズが多く用いられている。この４群ズームレンズは物体側から順に、正の屈折力の第１レンズ群、変倍用に移動の負の屈折力の第２レンズ群、変倍に伴って変動する像面を補正するための第３レンズ群、そして結像用の正の屈折力の第４レンズ群から構成される。
【０００３】
近年、合焦のための可動群を、重量、体積の小さい第４レンズで行うテレビカメラ用のズームレンズが提案されている。これにより、合焦用の可動機構を小型化し、ズームレンズの重量の抑制を図ることが可能となる。
例えば、特許文献１、２では、正の屈折力の第１レンズ群、変倍用に移動の負の屈折力の第２レンズ群、負の屈折力の第３レンズ群、正の屈折力の第４レンズ群から構成され、合焦のため第４レンズが可動するズームレンズが提案されている。
【先行技術文献】
【特許文献】
【０００４】
【特許文献１】特開平４−７８８０７号公報
【特許文献２】特開２００２−１６９０９１号公報
【発明の概要】
【発明が解決しようとする課題】
【０００５】
上述のいわゆるリアフォーカスタイプのズームレンズにおいては、合焦機構が変倍機構より像側にある。そのため、物体距離が無限遠である場合に対し、無限遠より至近側（以下、有限距離とも記す）となった場合において、変倍比（広角端と望遠端のレンズ全系の焦点距離の比）が低下する。特に上述のズームレンズにおいて高倍率化を図った場合、変倍比の低下は一層顕著となる。すなわち、物体距離が短い被写体を撮影しながら変倍した場合には、その被写体像を予定している程度まで拡大することができない。
【０００６】
また上述したタイプのズームレンズにおいて高倍率化を達成しようとした場合、特に望遠端において、合焦のためのレンズ群の移動量が増大し、ズームレンズの全長が増加する。これにより、ズームレンズの小型化が困難となる。
【０００７】
そこで本発明の目的は、小型でありながら、高倍率と、物体距離無限遠に対し無限遠より至近側における変倍比低下の抑制を両立しうるズームレンズを提供することである。
【課題を解決するための手段】
【０００８】
本発明のズームレンズは、物体側から像側へ順に、変倍のためには不動で正の屈折力の第１レンズ群、変倍及び合焦のために移動し負の屈折力の第２レンズ群、変倍用の負の屈折力の第３レンズ群、負または正の屈折力の第４レンズ群、正の屈折力の第５レンズ群から構成され、前記第２レンズ群の物体距離が無限遠における広角端の横倍率をβ2w、前記第２レンズ群と前記第３レンズ群の焦点距離を各々ｆ２、ｆ３とするとき、
−０．９５＜１／β２ｗ＜０．４
１．２＜ｆ２／ｆ３＜１０
なる条件を満足することを特徴としている。
【発明の効果】
【０００９】
本発明によれば、小型化、高倍率化、物体距離が有限の場合における変倍比低下の抑制を両立しうるズームレンズ及びそれを有する撮像装置が得ることが出来る。
【図面の簡単な説明】
【００１０】
【図１】数値実施例１の、（Ａ）広角端と、（Ｂ）望遠端におけるレンズ断面図
【図２】数値実施例１の物体距離、無限遠における、（Ａ）広角端と、（Ｂ）望遠端の収差図
【図３】数値実施例２の、（Ａ）広角端と、（Ｂ）望遠端におけるレンズ断面図
【図４】数値実施例２の物体距離、無限遠における、（Ａ）広角端と、（Ｂ）望遠端の収差図
【図５】数値実施例３の、（Ａ）広角端と、（Ｂ）望遠端におけるレンズ断面図
【図６】数値実施例３の物体距離、無限遠における、（Ａ）広角端と、（Ｂ）望遠端の収差図
【図７】数値実施例４の、（Ａ）広角端と、（Ｂ）望遠端におけるレンズ断面図
【図８】数値実施例４の物体距離、無限遠における、（Ａ）広角端と、（Ｂ）望遠端の収差図
【図９】数値実施例５の、（Ａ）広角端と、（Ｂ）望遠端におけるレンズ断面図
【図１０】数値実施例５の物体距離、無限遠における、（Ａ）広角端と、（Ｂ）望遠端の収差図
【図１１】数値実施例６の、（Ａ）広角端と、（Ｂ）望遠端におけるレンズ断面図
【図１２】数値実施例６の物体距離、無限遠における、（Ａ）広角端と、（Ｂ）望遠端の収差図
【図１３】本発明の撮像装置の要部概略図
【図１４】本発明のズームレンズの近軸配置概略図
【発明を実施するための形態】
【００１１】
以下、本発明のズームレンズ及びそれを有する撮像装置について説明する。
本発明のズームレンズは、物体側から像側へ順に、変倍のためには不動で、正の屈折力の第１レンズ群Ｌ１、変倍用の負の屈折力の第２レンズ群Ｌ２、変倍用の負の屈折力の第３レンズ群Ｌ３、負または正の屈折力の第４レンズ群Ｌ４、正の屈折力の第５レンズ群Ｌ５から構成される。広角端から望遠端への変倍に際して、第２レンズ群Ｌ２、第３レンズ群Ｌ３は物体側から像側へ移動し、第４レンズ群Ｌ４は物体側に凸状の軌跡を描いて移動、または変倍のためには不動である。第５レンズ群Ｌ５は変倍のためには不動、又は物体側に凸状の軌跡を描いて移動する。合焦は第２レンズ群Ｌ２を移動して行っている。
【００１２】
図１４は後述する本発明の実施例１（数値実施例１）のズームレンズの近軸配置を示した図である。図の上部における近軸配置は広角端に対応し、図の下部における近軸配置は望遠端に対応している。変倍中可動の群については、実線又は点線で広角端から望遠端への移動軌跡を示している。
【００１３】
Ｌ１は正の屈折力の第１レンズ群であり、Ｌ２、Ｌ３、Ｌ４は変倍用の負の屈折力の第２レンズ群、第３レンズ群、第４レンズ群、Ｌ５は正の屈折力の第５レンズ群である。Ｌ２´は有限距離に合焦した場合の第２レンズ群を示している。Ｉは像面であり、ビデオカメラ等の固体撮像素子の撮像面に相当する。
【００１４】
第１レンズ群Ｌ１は変倍に際し不動である。第２レンズ群Ｌ２、第３レンズ群Ｌ３は広角端から望遠端にかけて光軸上を像面側へ単調に移動することにより、広角端から望遠端への変倍を行っている。また、第４レンズ群Ｌ４は変倍に伴う像面変動補正のために物体側に凸状の軌跡を描いて移動する。第５レンズ群Ｌ５は変倍に際し不動である。
【００１５】
合焦は第２レンズ群Ｌ２により行い、任意の有限距離（無限遠より至近側の任意の距離）に合焦している時の位置をＬ２´で表している。Ｌ２´についてもＬ２と同様、広角端から望遠端にかけて光軸上を像面側へ単調に移動する。変倍比一定の条件においては、どの変倍比においても、合焦に際し第２レンズ群Ｌ２は物体側から像側の方向へ移動する（Ｌ２からＬ２´へ移動）。また、変倍比一定の条件においてはどの変倍比においても、物体距離が無限遠から有限距離になったときのＬ２の合焦時の移動量に大きな変化はなく、広角端、望遠端又はその中間領域で最小値となる。
【００１６】
第２レンズ群Ｌ２の物体距離、無限遠における広角端の横倍率をβ2wとする。また第２レンズ群Ｌ２と第３レンズ群Ｌ３の焦点距離を各々ｆ２、ｆ３とする。
このとき、
−０．９５＜１／β2w＜０．４      ・・・（１）
１．２＜ｆ２／ｆ３＜１０          ・・・（２）
なる条件を満足する。
【００１７】
変倍用のレンズ群として第２レンズ群Ｌ２及び第３レンズ群Ｌ３を用い、それらを負の屈折力のレンズ群で構成し、合焦については第２レンズ群を移動して行っている。第２レンズ群Ｌ２の、物体距離、無限遠における広角端の横倍率β2w、第２レンズ群Ｌ２と第３レンズ群Ｌ３の焦点距離の比を適切な値に設定する。これにより、全ズーム範囲にわたって合焦を可能としつつ、有限距離による変倍比低下を抑制し、第２レンズ群Ｌ２の合焦時の移動量の抑制を図っている。
本発明のズームレンズは上記の構成をとることにより、小型化、高倍率化、物体距離が有限の場合における変倍比低下の抑制を両立しうるズームレンズ及びそれを有する撮像装置を達成している。
【００１８】
従来の前記テレビカメラ用４群ズームレンズは、高倍率化を達成するために負の第２レンズ群の変倍比Ｚ2が大きい構成を有している。
第２レンズ群の物体距離、無限遠における広角端の横倍率、望遠端における横倍率をそれぞれβ2w、β2tとすると、第２レンズ群の変倍比Ｚ2は下記の式で表される。
Ｚ２＝β2ｔ／β2w              ・・・（３）
前記４群ズームレンズは、β2tを大きくすることでＺ２を増大させ、高倍率化を達成している。
前記４群ズームレンズにおいて、第４レンズ群で合焦を行った場合、有限距離において第２レンズ群の変倍比Ｚ2が著しく低下し、ズームレンズ全体の変倍比が低下する。
【００１９】
具体的には、物体距離が有限の場合の第２レンズ群の望遠端における横倍率β2t´は下記の式で表される。
β2t´≒β2t−β2t2×ｘ／ｆ２      ・・・（４）
ここで、ｆ２は第２レンズ群の焦点距離、ｘは物体距離が無限遠から有限距離になった場合の第１レンズ群の像点位置の変化量である。
β2tが大きい値を有する従来の４群ズームレンズにおいては、（４）式よりβ2t´がβ2t2に比例して大きく低下し、有限距離において第２レンズ群の変倍比Ｚ2が著しく低下する。
【００２０】
また、第４レンズ群で合焦を行う従来の４群ズームレンズにおいては、合焦に伴う第４レンズ群の移動量はβ2t2に比例して増大する。これは第４レンズ群が、第２レンズ群より像側に配置されていることに起因する。
高倍率化を達成するためにβ2tを増大させた場合、第４レンズ群の移動量は著しく増大し、全長の短縮が困難となる。
なお上記二つの問題は、従来の４群ズームレンズにおいて、第２レンズ群より像側の群で合焦を行う場合に発生する問題であり、合焦群が第４レンズ群の場合に限ったことではない。
【００２１】
従来の４群ズームレンズにおいて、上記二つの問題を解決する場合、第２レンズ群で合焦を行う方式が有効となる。これにより第２レンズ群の変倍比Ｚ２の低下に起因する有限距離における変倍比低下、及び高倍率化に伴う合焦時の移動量増大を抑制できる。
しかしながら、従来の４群ズームレンズにおいては、広角端から望遠端の間の特定のズームポジションにおいて、第２レンズ群の横倍率β２は
β2＝−１                  ・・・（５）
となる。
【００２２】
一方、第２レンズ群で合焦を行った場合の合焦時の移動量ＭＶ2は下記式（６）で表わされる。
ＭＶ2≒β22／（１―β22）        ・・・（６）
（５）式（６）式よりＭＶ2はβ2＝−１のズームポジションで無限大となる。
よって、従来の４群ズームレンズにおいて、第２レンズ群で合焦を行った場合、特定のズームポジションにおいて合焦することができない問題が発生する。
【００２３】
本発明においては、変倍用のレンズ群として第２レンズ群Ｌ２及び第３レンズ群Ｌ３を用い、それらを負の屈折力のレンズ群で構成することで、変倍中の全範囲において第２レンズ群による合焦を可能としている。
これにより、全ズーム範囲にわたって合焦を可能としつつ、有限距離による変倍比低下を抑制し、合焦時の合焦群の移動量抑制を図っている。
【００２４】
条件式（１）は第２レンズ群Ｌ２の物体距離、無限遠における広角端の横倍率を規定するものである。第２レンズ群Ｌ２の物体距離、無限遠における広角端の横倍率を適切な範囲に設定することにより、全ズーム範囲にわたって第２レンズ群Ｌ２による合焦を可能としている。条件式（１）の下限の条件が満たされないと、広角端において、第２レンズ群Ｌ２の合焦に伴う移動量が増大し、小型化が困難となる。条件式（１）の上限の条件が満たされないと、望遠端において、第２レンズ群Ｌ２の合焦に伴う移動量が増大し、小型化が困難となる。そして第２レンズ群の変倍比が減少し、高倍率化が難しくなる。
更に好ましくは条件式（１）を次の如く設定するのが良い。
−０．８５＜１／β2w＜０．２５       ・・・（１ａ）
【００２５】
条件式（２）は第２レンズ群Ｌ２と第３レンズ群Ｌ３の焦点距離の比を規定するものである。前述の比を適切な範囲に設定することにより、全ズーム範囲にわたって第２レンズ群Ｌ２の合焦に伴う移動量を抑制し、小型化を達成している。条件式（２）の下限の条件が満たされないと、広角端において、第２レンズ群Ｌ２の合焦に伴う移動量が増大し、小型化が困難となる。条件式（２）の上限の条件が満たされないと、望遠端において、第２レンズ群Ｌ２の合焦に伴う移動量が増大し、小型化が困難となる。
更に好ましくは条件式（２）を次の如く設定するのが良い。
１．４＜ｆ２／ｆ３＜８          ・・・（２ａ）
【００２６】
以上の諸条件を満足することによって、高倍率で全ズーム範囲にわたり高い光学性能を有するズームレンズを得ている。
各実施例において、更に高倍率化を達成し、レンズ系全体の小型化を図るには、次の諸条件のうち、１つ以上を満足するのが良い。
【００２７】
第２レンズ群Ｌ２の物体距離、無限遠における望遠端の横倍率をβ2tとし、第３レンズ群Ｌ３の広角端における横倍率と、望遠端における横倍率を各々β3w、β3tとする。
このとき、
−０．７＜ −β2t／β2w＜  ３      ・・・（７）
９＜ ｜β3t／β3w｜                ・・・（８）
なる条件のうち１つ以上を満足するのが良い。
【００２８】
条件式（７）は、第２レンズ群Ｌ２の物体距離、無限遠における望遠端の横倍率と広角端の横倍率の比を規定している。条件式（７）の下限の条件が満たされないと、そして第２レンズ群の変倍比が減少し、高倍率化が難しくなる。条件式（７）の上限の条件が満たされないと、第２レンズ群Ｌ２の広角端における横倍率の絶対値が１に近くなり、広角端において第２レンズ群Ｌ２の合焦に伴う移動量が増大し、小型化が困難となる。
更に好ましくは条件式（７）を次の如く設定するのが良い。
−０．５＜ −β2t／β2w＜  ２．２    ・・・（７ａ）
【００２９】
条件式（８）は、第３レンズ群Ｌ３の望遠端における横倍率と広角端における横倍率の比を規定している。条件式（８）の下限の条件が満たされないと、そして第３レンズ群の変倍比が減少し、高倍率化が難しくなる。
更に好ましくは条件式（８）を次の如く設定するのが良い。
１２＜ ｜β3t／β3w｜          ・・・（８ａ）
【００３０】
第２レンズ群Ｌ２は２枚以上の負レンズと１枚以上の正レンズで構成される。
第２レンズ群Ｌ２に含まれる負レンズが１枚以下の場合、負レンズの曲率、屈折力が増大し、望遠側の諸収差（特に球面収差、コマ収差）及び合焦時の収差変動（特に球面収差、コマ収差）を補正することが困難となってくる。
第２レンズ群Ｌ２に含まれる正レンズが含まれない場合、合焦時の収差変動（特に球面収差、軸上色収差）を補正することが困難となってくる。
【００３１】
第１レンズ群Ｌ１の焦点距離をｆ１とし、第２レンズ群Ｌ２と第３レンズ群Ｌ３の合成焦点距離をｆ２３とする。
２  ＜  |ｆ１／ｆ２３|  ＜  ６          ・・・（９）
なる条件を満足するのが良い。
ここで、ｆ２３は以下の式で表される焦点距離とする。
【数１】
2014038237.tif 000003
【００３２】
条件式（９）は、第１レンズ群Ｌ１の焦点距離をｆ１と、第２レンズ群Ｌ２と第３レンズ群Ｌ３の合成焦点距離の比を規定している。条件式（９）の下限の条件が満たされないと、第２レンズ群Ｌ２、第３レンズ群Ｌ３の屈折力が第１レンズ群Ｌ１の屈折力に対し小さくなり、高倍率化の達成が困難となる。条件式（９）の上限の条件が満たされないと、第２レンズ群Ｌ２、第３レンズ群Ｌ３の屈折力が第１レンズ群Ｌ１の屈折力に対し大きくなり、変倍に伴う諸収差の変動が増大し、良好な光学性能の達成が困難となる。
更に好ましくは条件式（９）を次の如く設定するのが良い。
２．５  ＜  |ｆ１／ｆ２３|  ＜  ５．５      ・・・（９ａ）
【００３３】
次に各実施例の各レンズ群のレンズ構成について説明する。
第１レンズ群Ｌ１は３乃至６枚のレンズより構成され、第２レンズ群Ｌ２は３乃至４枚のレンズより構成され、第３レンズ群Ｌ３は１つの負レンズより構成され、第４レンズ群Ｌ４は１つの負レンズと１つの正レンズより構成され、第５レンズ群Ｌ５は全体として２乃至１２枚のレンズより構成される。
【実施例１】
【００３４】
本発明の実施例１のズームレンズは、物体側から順に、正の屈折力の前玉レンズ群（第１レンズ群Ｌ１）、変倍用の負の屈折力のバリエータ（第２レンズ群Ｌ２、第３レンズ群Ｌ３）、負または正の屈折力のレンズ群（第４レンズ群Ｌ４）、開口絞りＳＰ、変倍のためには移動しない正の屈折力の第５レンズ群Ｌ５から構成される。
第２レンズ群Ｌ２、第３レンズ群Ｌ３は、光軸上を像面側へ単調に移動させることにより、広角端から望遠端への変倍を行う。第２レンズ群Ｌ２を移動させることでフォーカス調整を行う。第４レンズ群Ｌ４は、変倍に伴う像面変動補正のために物体側に凸状の軌跡を描いて移動する。
【００３５】
また、レンズ断面図においては、第５レンズ群Ｌ５の像側に、物体側から順に、ガラスブロックＰとして示された色分解プリズムや光学フィルタ等、像面Ｉを示す。像面Ｉは、ビデオカメラやデジタルスチルカメラの撮影光学系として使用する際にはＣＣＤセンサやＣＭＯＳセンサ等の固体撮像素子（光電変換素子）の撮像面に相当する。尚、以下の各実施例において広角端と望遠端のズーム位置は、変倍用レンズ群（各実施例では、第２レンズ群Ｌ２、第３レンズ群Ｌ３）が機構上、光軸上を移動可能な範囲の両端に位置したときのズーム位置をいうこととする。
【００３６】
図１に、本発明の実施例１のズームレンズの広角端（最短焦点距離端）（Ａ）と望遠端（長焦点距離端）（Ｂ）におけるレンズ断面図を示す。図２は実施例１のズームレンズの物体距離、無限遠における広角端（Ａ）と望遠端（Ｂ）の収差図である。実施例１はズーム比４０．０、広角端のＦナンバー２．１の高倍率大口径のズームレンズである。
各実施例のズームレンズは撮像装置に用いられる撮影レンズ系であり、レンズ断面図においては、左方が被写体側（前方）で、右方が像側（後方）である。
各収差図において、ｅ、ｇ、Ｃは各々ｅ線、ｇ線、Ｃ線を示し、Ｍ、Ｓはメリディオナル像面、サジタル像面、倍率色収差はｇ線、Ｃ線によって表している。ＦｎｏはＦナンバー、ωは半画角である。実施例２乃至６の収差図についても同様に記載する。
【００３７】
以下に、実施例１に対応する数値データを数値実施例１として示す。数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の光学部材の屈折率とアッベ数である。焦点距離、Ｆナンバー、画角はそれぞれ無限遠物体に焦点を合わせたときの値を表している。ＢＦは最終面から像面までの長さである。最終の３面または２面の平板は、フィルタ等のガラスブロックである。非球面形状は光軸方向にＸ軸、光軸と垂直方向にＨ軸、光の進行方向を正とし、Ｒを近軸曲率半径、ｋを円錐常数、Ａ３乃至Ａ１２をそれぞれ非球面係数としたとき、次式で表している。
【００３８】
【数２】
2014038237.tif 000004
で表される。又、例えば「ｅ−Ｚ」は「×１０-Z」を意味する。なお、以下の数値実施例においても同様の記載をする。
【００３９】
また、本実施例における条件式（１），（２），（７），（８），（９）に対応する数値を表１に示す。いずれの条件も満たし、小型化、高倍率化、物体距離が有限の場合における変倍比低下の抑制を両立するズームレンズを実現している。
【００４０】
（数値実施例１）
単位 mm
面データ
面番号       r        d      nd         vd       有効径
1       1614.345    3.00   1.80440    39.6      115.79
2        189.919    1.07                        115.44
3        181.654   17.84   1.43387    95.1      116.24
4       -315.447    0.20                        116.57
5        341.230    9.22   1.43387    95.1      116.59
6       -566.191    0.20                        116.47
7        115.284    8.76   1.43387    95.1      112.19
8        228.724    0.20                        111.64
9        107.919    8.89   1.43387    95.1      107.88
10        218.886  (可変)                        107.13
11*       128.744    1.69   1.83481    42.7       42.84
12         25.659   13.61                         35.94
13        -83.336    5.13   1.92286    18.9       35.02
14        -47.489    1.23   1.83481    42.7       35.38
15        112.199    1.09                         35.78
16         45.321    9.80   1.69895    30.1       37.26
17        -63.196  (可変)                         36.80
18        -63.310    1.23   1.88300    40.8       27.15
19        109.763  (可変)                         26.59
20        -45.774    1.30   1.71700    47.9       28.36
21         60.123    3.29   1.84666    23.8       30.40
22        534.038  (可変)                         30.86
23(絞り)    ∞       1.52                         39.03
24     -17267.224    6.08   1.60738    56.8       39.99
25        -47.044    0.15                         40.56
26        328.658    4.05   1.51823    58.9       40.82
27       -110.234    0.35                         40.81
28         39.338    9.49   1.48749    70.2       39.19
29        -81.883    1.50   1.83400    37.2       38.18
30        516.358    0.15                         36.94
31         34.012    7.02   1.48749    70.2       34.64
32       -307.813    1.50   1.88300    40.8       33.32
33         29.300   50.00                         30.12
34        -83.437    3.98   1.50127    56.5       31.66
35        -35.561    1.91                         31.92
36         47.366    1.20   1.78590    44.2       29.61
37         29.437    7.53   1.51742    52.4       28.49
38        -92.814    2.01                         27.53
39         66.344    5.32   1.51742    52.4       24.53
40        -45.467    1.20   1.83481    42.7       22.92
41         33.806    2.95                         21.26
42         33.007    3.91   1.50127    56.5       21.52
43      -2218.082    3.80                         21.19
44          ∞      34.37   1.60859    46.4       40.00
45          ∞      13.75   1.51680    64.2       40.00
46          ∞     (可変)                         40.00
像面        ∞  
非球面データ
第11面
K = 2.35214e+001  A 4=-2.29613e-006  A 6=-1.75959e-009  A 8=-4.17467e-014  A10=-4.16561e-015  
各種データ
ズーム比     40.00 
焦点距離      11.00   440.00  
Fナンバー      2.10     3.80  
画角          26.56     0.72  
像高           5.50     5.50  
レンズ全長   406.29   406.29  
BF             7.23     7.23  
d10            0.69   115.35  
d17           11.26    14.36  
d19          122.47    12.38  
d22           13.14     5.48  
d46            7.23     7.23  
入射瞳位置    78.21   2548.63  
射出瞳位置   5357.09   5357.09  
前側主点位置  89.23   3024.81  
後側主点位置  -3.77  -432.77  
ズームレンズ群データ
群  始面    焦点距離  レンズ構成長  前側主点位置  後側主点位置
1    1     161.84        49.39        21.50        -12.28
2   11    -150.00        32.55       -45.39       -102.34
3   18     -45.06         1.23         0.24         -0.41
4   20     -66.06         4.59         0.16         -2.36
5   23      81.58       163.74        82.80       -178.43
再至近物体距離
レンズ第一面より  3000
単レンズデータ
レンズ  始面  焦点距離
1       1   -266.24
2       3    267.93
3       5    491.01
4       7    522.17
5       9    477.80
6      11    -38.46
7      13    110.52
8      14    -39.61
9      16     38.92
10      18    -45.06
11      20    -35.88
12      21     78.98
13      24     77.33
14      26    159.15
15      28     55.76
16      29    -84.11
17      31     63.04
18      32    -30.06
19      34    119.78
20      36   -101.42
21      37     43.92
22      39     52.76
23      40    -22.94
24      42     64.65
25      44      0.00
26      45      0.00
【実施例２】
【００４１】
実施例２のズームレンズも、実施例１のズームレンズと同様の構成を有する。
図３は本発明の実施例２のズームレンズの広角端（Ａ）と望遠端（Ｂ）におけるレンズ断面図である。図４は本発明の実施例２のズームレンズの物体距離、無限遠における広角端（Ａ）と望遠端（Ｂ）の収差図である。実施例２はズーム比４０．０、広角端のＦナンバー２．１の高倍率大口径のズームレンズである。
【００４２】
以下に、実施例２に対応する数値データを数値実施例２として示す。また、本実施例における条件式（１），（２），（７），（８），（９）に対応する数値を表１に示す。いずれの条件も満たし、小型化、高倍率化、物体距離が有限の場合における変倍比低下の抑制を両立するズームレンズを実現している。
【００４３】
（数値実施例２）
単位 mm
面データ
面番号       r        d      nd         vd       有効径
1       1779.930    3.00   1.80440    39.6      121.70
2        191.942    1.07                        117.90
3        183.596   16.18   1.43387    95.1      117.76
4       -350.575    0.20                        117.35
5        283.758    9.42   1.43387    95.1      116.73
6       -794.371    0.20                        116.60
7        114.771   10.78   1.43387    95.1      112.73
8        292.021    0.20                        112.05
9        113.792    8.55   1.43387    95.1      107.67
10        210.765  (可変)                        106.41
11*       123.902    1.69   1.83481    42.7       46.88
12         24.864   11.91                         38.33
13        -83.627    3.77   1.92286    18.9       38.30
14        -48.419    1.23   1.83481    42.7       38.71
15        125.405    1.09                         39.90
16         44.881    9.99   1.69895    30.1       43.05
17        -78.792  (可変)                         42.86
18        -63.184    1.23   1.88300    40.8       26.52
19        153.511  (可変)                         26.12
20        -45.666    1.30   1.71700    47.9       28.07
21         60.770    3.24   1.84666    23.8       30.07
22        554.474  (可変)                         30.54
23(絞り)    ∞       1.52                         39.01
24     -17267.224    6.08   1.60738    56.8       39.97
25        -47.044    0.15                         40.54
26        328.658    4.05   1.51823    58.9       40.79
27       -110.234    0.35                         40.78
28         39.338    9.49   1.48749    70.2       39.16
29        -81.883    1.50   1.83400    37.2       38.14
30        516.358    0.15                         36.90
31         34.012    7.02   1.48749    70.2       34.60
32       -307.813    1.50   1.88300    40.8       33.28
33         29.300   50.00                         30.08
34        -83.437    3.98   1.50127    56.5       31.53
35        -35.561    1.91                         31.79
36         47.366    1.20   1.78590    44.2       29.49
37         29.437    7.53   1.51742    52.4       28.37
38        -92.814    2.01                         27.40
39         66.344    5.32   1.51742    52.4       24.43
40        -45.467    1.20   1.83481    42.7       22.81
41         33.806    2.95                         21.61
42         33.007    3.91   1.50127    56.5       21.92
43      -2218.082    3.80                         21.59
44          ∞      34.37   1.60859    46.4       40.00
45          ∞      13.75   1.51680    64.2       40.00
46          ∞     (可変)                         40.00
像面        ∞   
非球面データ
第11面
K = 1.89787e+001  A 4=-1.62363e-006  A 6=-2.44138e-009  A 8= 1.84034e-012  A10=-4.16561e-015  
各種データ
ズーム比     40.00 
焦点距離      11.00   440.00  
Fナンバー      2.10     3.80  
画角          26.56     0.72  
像高           5.50     5.50  
レンズ全長   410.74   410.74  
BF             6.99     6.99  
d10            0.90   113.63  
d17           22.59    20.80  
d19          117.82    14.59  
d22           13.65     5.95  
d46            6.99     6.99  
入射瞳位置    83.00   2772.53  
射出瞳位置   5357.09   5357.09  
前側主点位置  94.02   3248.72  
後側主点位置  -4.01  -433.00  
ズームレンズ群データ
群  始面    焦点距離  レンズ構成長  前側主点位置  後側主点位置
1    1     161.84        49.59        20.42        -13.54
2   11     -93.96        29.68       -21.49        -58.16
3   18     -50.26         1.23         0.19         -0.46
4   20     -66.06         4.54         0.14         -2.35
5   23      81.58       163.74        82.80       -178.43
再至近物体距離
レンズ第一面より  3000
単レンズデータ
レンズ  始面  焦点距離
1       1   -266.09
2       3    279.59
3       5    481.95
4       7    426.86
5       9    553.80
6      11    -37.35
7      13    117.04
8      14    -41.48
9      16     41.99
10      18    -50.26
11      20    -36.00
12      21     79.58
13      24     77.33
14      26    159.15
15      28     55.76
16      29    -84.11
17      31     63.04
18      32    -30.06
19      34    119.78
20      36   -101.42
21      37     43.92
22      39     52.76
23      40    -22.94
24      42     64.65
25      44      0.00
26      45      0.00
【実施例３】
【００４４】
実施例３のズームレンズも、実施例１のズームレンズと同様の構成を有する。
図５は本発明の実施例３のズームレンズの広角端（Ａ）と望遠端（Ｂ）におけるレンズ断面図である。図６は本発明の実施例３のズームレンズの物体距離、無限遠における広角端（Ａ）と望遠端（Ｂ）の収差図である。実施例３はズーム比４０．０、広角端のＦナンバー２．１の高倍率大口径のズームレンズである。
【００４５】
以下に、実施例３に対応する数値データを数値実施例３として示す。また、本実施例における条件式（１），（２），（７），（８），（９）に対応する数値を表１に示す。いずれの条件も満たし、小型化、高倍率化、物体距離が有限の場合における変倍比低下の抑制を両立するズームレンズを実現している。
【００４６】
（数値実施例３）
単位 mm
面データ
面番号       r        d      nd         vd       有効径
1       1641.348    3.00   1.80440    39.6      120.15
2        179.705    1.07                        116.24
3        172.259   17.18   1.43387    95.1      116.31
4       -355.665    0.20                        116.60
5        360.051    9.99   1.43387    95.1      116.96
6       -428.738    0.20                        116.87
7        114.819    9.30   1.43387    95.1      112.53
8        242.201    0.20                        111.98
9        103.892    8.79   1.43387    95.1      107.71
10        198.173  (可変)                        106.95
11*       118.682    1.69   1.83481    42.7       47.30
12         26.183   10.93                         39.02
13       -100.506    3.68   1.92286    18.9       38.96
14        -55.018    1.23   1.83481    42.7       39.13
15        187.514    1.09                         39.45
16         39.361    9.62   1.69895    30.1       41.10
17        -91.569  (可変)                         40.57
18        -49.464    1.23   1.88300    40.8       26.87
19         84.730  (可変)                         26.07
20        -45.982    1.30   1.71700    47.9       28.19
21         59.690    3.27   1.84666    23.8       30.21
22        507.133  (可変)                         30.68
23(絞り)    ∞       1.52                         39.03
24     -17267.224    6.08   1.60738    56.8       39.99
25        -47.044    0.15                         40.56
26        328.658    4.05   1.51823    58.9       40.83
27       -110.234    0.35                         40.82
28         39.338    9.49   1.48749    70.2       39.22
29        -81.883    1.50   1.83400    37.2       38.21
30        516.358    0.15                         36.98
31         34.012    7.02   1.48749    70.2       34.67
32       -307.813    1.50   1.88300    40.8       33.37
33         29.300   50.00                         30.17
34        -83.437    3.98   1.50127    56.5       31.83
35        -35.561    1.91                         32.09
36         47.366    1.20   1.78590    44.2       29.77
37         29.437    7.53   1.51742    52.4       28.64
38        -92.814    2.01                         27.70
39         66.344    5.32   1.51742    52.4       24.68
40        -45.467    1.20   1.83481    42.7       23.08
41         33.806    2.95                         21.40
42         33.007    3.91   1.50127    56.5       21.16
43      -2218.082    3.80                         20.84
44          ∞      34.37   1.60859    46.4       40.00
45          ∞      13.75   1.51680    64.2       40.00
46          ∞     (可変)                         40.00
像面        ∞   
非球面データ
第11面
K = 1.70029e+001  A 4=-1.63451e-006  A 6=-2.15834e-009  A 8= 2.00694e-012  A10=-4.16561e-015  
各種データ
ズーム比     40.00 
焦点距離      11.00   440.00  
Fナンバー      2.10     3.80  
画角          26.57     0.72  
像高           5.50     5.50  
レンズ全長   405.89   405.89  
BF             7.53     7.53  
d10            0.71   112.16  
d17           12.68    17.82  
d19          123.84    13.60  
d22           13.40     7.06  
d46            7.53     7.53  
入射瞳位置    82.41   2539.41  
射出瞳位置   5357.09   5357.09  
前側主点位置  93.43   3015.60  
後側主点位置  -3.46  -432.46  
ズームレンズ群データ
群  始面    焦点距離  レンズ構成長  前側主点位置  後側主点位置
1    1     161.84        49.94        21.87        -12.22
2   11    -262.76        28.24       -71.60       -127.85
3   18     -35.01         1.23         0.24         -0.41
4   20     -66.06         4.57         0.17         -2.34
5   23      81.58       163.74        82.80       -178.43
再至近物体距離
レンズ第一面より  3000
単レンズデータ
レンズ  始面  焦点距離
1       1   -249.60
2       3    269.47
3       5    451.66
4       7    491.05
5       9    488.25
6      11    -40.36
7      13    125.21
8      14    -50.56
9      16     40.30
10      18    -35.01
11      20    -35.86
12      21     78.86
13      24     77.33
14      26    159.15
15      28     55.76
16      29    -84.11
17      31     63.04
18      32    -30.06
19      34    119.78
20      36   -101.42
21      37     43.92
22      39     52.76
23      40    -22.94
24      42     64.65
25      44      0.00
26      45      0.00
【実施例４】
【００４７】
実施例４のズームレンズも、実施例１のズームレンズと同様の構成を有する。
図７は本発明の実施例４のズームレンズの広角端（Ａ）と望遠端（Ｂ）におけるレンズ断面図である。図８は本発明の実施例４のズームレンズの物体距離、無限遠における広角端（Ａ）と望遠端（Ｂ）の収差図である。実施例４はズーム比２１.０、広角端のＦナンバー１．９の高倍率大口径のズームレンズである。
【００４８】
以下に、実施例４に対応する数値データを数値実施例４として示す。また、本実施例における条件式（１），（２），（７），（８），（９）に対応する数値を表１に示す。いずれの条件も満たし、小型化、高倍率化、物体距離が有限の場合における変倍比低下の抑制を両立するズームレンズを実現している。
【００４９】
（数値実施例４）
単位 mm
面データ
面番号       r        d      nd         vd       有効径
1       -291.857    2.30   1.80100    35.0       84.97
2        172.252    4.82                         80.87
3        691.619    2.30   1.72825    28.5       80.97
4        101.378   15.09   1.43875    94.9       80.97
5       -199.830    0.40                         81.42
6        155.329    9.88   1.45600    90.3       82.23
7       -284.296    0.54                         82.08
8        156.793    9.53   1.72916    54.7       79.40
9       -264.653    0.15                         78.82
10         62.293    6.12   1.77250    49.6       67.27
11        117.871  (可変)                         66.45
12*        83.778    1.10   1.83481    42.7       34.13
13         14.569   10.71                         25.28
14        -28.676    3.90   1.92286    18.9       25.17
15        -21.883    0.80   1.83481    42.7       26.03
16        -75.104    0.71                         27.13
17         29.869    6.65   1.69895    30.1       28.34
18        -59.791  (可変)                         27.90
19        -53.140    0.80   1.88300    40.8       19.41
20         49.203  (可変)                         19.23
21        -28.427    0.75   1.74320    49.3       19.86
22         45.502    2.41   1.84666    23.8       21.59
23      -1121.394  (可変)                         22.00
24(絞り)    ∞       1.30                         26.44
25        193.302    5.02   1.67003    47.2       27.76
26        -48.648    0.15                         28.60
27      -1546.554    2.00   1.56732    42.8       29.02
28       -193.197    0.15                         29.21
29         52.351    7.18   1.48749    70.2       29.53
30        -35.189    1.00   1.88300    40.8       29.32
31       -127.497   36.60                         29.66
32         44.582    6.25   1.48749    70.2       29.10
33        -57.976    0.91                         28.63
34       -203.971    1.00   1.88300    40.8       27.18
35         25.675    7.21   1.48749    70.2       25.88
36       -158.827    0.15                         25.79
37         32.650    8.82   1.48749    70.2       25.90
38        -39.316    1.00   1.88300    40.8       25.08
39       -274.040    0.34                         25.05
40         47.813    3.24   1.57501    41.5       24.81
41        161.118    4.50                         24.27
42          ∞      33.00   1.60859    46.4       40.00
43          ∞      13.20   1.51633    64.1       40.00
44          ∞     (可変)                         40.00
像面        ∞  
非球面データ
第12面
K = 1.82549e+001  A 4= 1.79379e-006  A 6=-2.61490e-008  A 8= 6.53743e-011  A10=-1.98244e-013  
各種データ
ズーム比     21.00 
焦点距離       7.90   165.90  
Fナンバー      1.90     2.70  
画角          34.85     1.90  
像高           5.50     5.50  
レンズ全長   288.56   288.56  
BF             7.50     7.50  
d11            0.75    53.93  
d18            7.60     7.60  
d20           54.82     5.47  
d23            5.91     2.08  
d44            7.50     7.50  
入射瞳位置    48.89   635.81  
射出瞳位置   1103.96   1103.96  
前側主点位置  56.85   826.82  
後側主点位置  -0.40  -158.40  
ズームレンズ群データ
群  始面    焦点距離  レンズ構成長  前側主点位置  後側主点位置
1    1      69.86        51.14        33.55          5.42
2   12    -193.78        23.86       -81.04       -172.12
3   19     -28.66         0.80         0.22         -0.20
4   21     -43.35         3.16        -0.10         -1.83
5   24      51.82       133.02        54.13       -113.62
再至近物体距離
レンズ第一面より  1000
単レンズデータ
レンズ  始面  焦点距離
1       1   -134.03
2       3   -162.04
3       4    155.28
4       6    221.26
5       8    135.75
6      10    162.39
7      12    -21.16
8      14     77.41
9      15    -37.04
10      17     29.17
11      19    -28.66
12      21    -23.33
13      22     51.19
14      25     58.20
15      27    386.80
16      29     44.21
17      30    -55.00
18      32     52.58
19      34    -25.62
20      35     45.77
21      37     38.00
22      38    -51.79
23      40    116.35
24      42      0.00
25      43      0.00
【実施例５】
【００５０】
実施例５のズームレンズも、実施例１のズームレンズと同様の構成を有する。
図９は本発明の実施例５のズームレンズの広角端（Ａ）と望遠端（Ｂ）におけるレンズ断面図である。図１０は本発明の実施例５のズームレンズの物体距離、無限遠における広角端（Ａ）と望遠端（Ｂ）の収差図である。実施例５はズーム比２１．０、広角端のＦナンバー１．９の高倍率大口径のズームレンズである。
【００５１】
以下に、実施例５に対応する数値データを数値実施例５として示す。また、本実施例における条件式（１），（２），（７），（８），（９）に対応する数値を表１に示す。いずれの条件も満たし、小型化、高倍率化、物体距離が有限の場合における変倍比低下の抑制を両立するズームレンズを実現している。
【００５２】
（数値実施例５）
単位 mm
面データ
面番号       r        d      nd         vd       有効径
1       -369.587    2.30   1.80100    35.0       81.72
2        141.738    6.06                         77.51
3       1457.606    2.30   1.72825    28.5       77.16
4        108.138   13.69   1.43875    94.9       77.21
5       -186.328    0.40                         77.72
6        142.574    9.33   1.45600    90.3       78.85
7       -319.651    0.52                         78.71
8        167.925    8.81   1.72916    54.7       76.73
9       -248.635    0.15                         76.23
10         64.169    6.56   1.77250    49.6       68.67
11        133.457  (可変)                         67.91
12*        82.269    1.10   1.83481    42.7       35.82
13         16.560    9.09                         27.41
14        -57.782    4.50   1.92286    18.9       27.34
15        -28.384    0.80   1.83481    42.7       27.48
16         68.869    0.71                         27.46
17         30.859    6.39   1.69895    30.1       28.44
18        -60.076  (可変)                         28.15
19        -43.379    0.80   1.88300    40.8       19.51
20        126.036  (可変)                         19.12
21        -28.270    0.75   1.74320    49.3       19.88
22         46.672    2.45   1.84666    23.8       21.61
23       -891.401  (可変)                         22.05
24(絞り)    ∞       1.30                         26.55
25        193.302    5.02   1.67003    47.2       27.89
26        -48.648    0.15                         28.74
27      -1546.554    2.00   1.56732    42.8       29.17
28       -193.197    0.15                         29.36
29         52.351    7.18   1.48749    70.2       29.69
30        -35.189    1.00   1.88300    40.8       29.48
31       -127.497   36.60                         29.82
32         44.582    6.25   1.48749    70.2       29.23
33        -57.976    0.91                         28.76
34       -203.971    1.00   1.88300    40.8       27.29
35         25.675    7.21   1.48749    70.2       25.98
36       -158.827    0.15                         25.88
37         32.650    8.82   1.48749    70.2       25.51
38        -39.316    1.00   1.88300    40.8       24.68
39       -274.040    0.34                         24.65
40         47.813    3.24   1.57501    41.5       24.43
41        160.055    4.50                         23.90
42          ∞      33.00   1.60859    46.4       40.00
43          ∞      13.20   1.51633    64.1       40.00
44          ∞     (可変)                         40.00
像面        ∞   
非球面データ
第12面
K = 1.53525e+001  A 4=-1.54706e-006  A 6=-2.97405e-008  A 8= 1.01594e-010  A10=-1.98244e-013  
各種データ
ズーム比     21.00 
焦点距離       7.90   165.90  
Fナンバー      1.90     2.70  
画角          34.85     1.90  
像高           5.50     5.50  
レンズ全長   288.56   288.56  
BF             7.47     7.47  
d11            0.74    53.93  
d18            9.93     9.93  
d20           54.77     5.42  
d23            5.91     2.08  
d44            7.47     7.47  
入射瞳位置    49.24   636.60  
射出瞳位置   1135.67   1135.67  
前側主点位置  57.19   826.89  
後側主点位置  -0.43  -158.43  
ズームレンズ群データ
群  始面    焦点距離  レンズ構成長  前側主点位置  後側主点位置
1    1      69.86        50.12        33.90          6.51
2   12     -51.67        22.59       -11.50        -37.76
3   19     -36.26         0.80         0.11         -0.31
4   21     -43.35         3.20        -0.12         -1.87
5   24      51.79       133.02        54.03       -113.57
再至近物体距離
レンズ第一面より  1000
単レンズデータ
レンズ  始面  焦点距離
1       1   -126.79
2       3   -159.19
3       4    157.81
4       6    217.03
5       8    138.10
6      10    152.91
7      12    -24.89
8      14     55.61
9      15    -23.85
10      17     29.81
11      19    -36.26
12      21    -23.48
13      22     51.93
14      25     58.20
15      27    386.80
16      29     44.21
17      30    -55.00
18      32     52.58
19      34    -25.62
20      35     45.77
21      37     38.00
22      38    -51.79
23      40    116.67
24      42      0.00
25      43      0.00
【実施例６】
【００５３】
実施例６のズームレンズも、実施例１のズームレンズと基本的には同様の構成を有するが、第４レンズ群Ｌ４は変倍のためには移動せず、第５レンズ群Ｌ５は変倍に伴う像面変動補正のために物体側に凸状の軌跡を描いて移動することが異なる。
図１１は本発明の実施例６のズームレンズの広角端（Ａ）と望遠端（Ｂ）におけるレンズ断面図である。図１２は本発明の実施例６のズームレンズの物体距離、無限遠における広角端（Ａ）と望遠端（Ｂ）の収差図である。実施例６はズーム比２５．０、広角端のＦナンバー１．８５の高倍率大口径のズームレンズである。
【００５４】
以下に、実施例６に対応する数値データを数値実施例６として示す。また、本実施例における条件式（１），（２），（７），（８），（９）に対応する数値を表１に示す。いずれの条件も満たし、小型化、高倍率化、物体距離が有限の場合における変倍比低下の抑制を両立するズームレンズを実現している。
【００５５】
（数値実施例６）
単位 mm
面データ
面番号       r        d      nd         vd       有効径
1        154.246    3.48   1.84666    23.8       59.22
2         64.499    9.67   1.69680    55.5       57.70
3       -877.134    0.73                         57.39
4         59.310    5.69   1.77250    49.6       55.19
5        139.650  (可変)                         54.26
6        119.744    2.00   1.88300    40.8       32.47
7         16.180    8.26                         25.01
8        -51.223    2.00   1.81600    46.6       24.85
9        579.472    0.14                         25.27
10         81.722    5.24   1.80809    22.8       25.52
11        -29.169  (可変)                         25.51
12        -23.166    2.00   1.81600    46.6       17.62
13*      1194.841  (可変)                         17.31
14(絞り)    ∞       4.03                         23.09
15*        32.434    8.53   1.58313    59.4       24.72
16        -58.614    3.25                         24.27
17         42.843    2.20   1.84666    23.8       21.88
18         25.482  (可変)                         20.53
19         63.286   10.36   1.65844    50.9       18.18
20        -19.638    1.83   1.84666    23.8       16.71
21        -35.934  (可変)                         16.53
22          ∞       8.00   1.51633    64.1       40.00
23          ∞     (可変)                         40.00
像面        ∞   
非球面データ
第13面
K =-1.63888e+004  A 4=-7.17432e-006  A 6=-1.98037e-008  A 8=-4.94889e-010  
第15面
K =-2.78702e+000  A 4=-1.41795e-007  A 6= 6.85729e-010  A 8=-1.24667e-011  
各種データ
ズーム比     25.00 
焦点距離       9.75   243.79  
Fナンバー      1.85     4.17  
画角          29.42     1.29  
像高           5.50     5.50  
レンズ全長   190.85   190.85  
BF             6.37     6.37  
d 5            1.45    58.58  
d11            6.45     6.45  
d13           60.96     3.84  
d18           21.25    32.72  
d21           16.94     5.46  
d23            6.37     6.37  
入射瞳位置    41.17   835.76  
射出瞳位置  -394.46   286.38  
前側主点位置  50.68   1291.80  
後側主点位置  -3.38  -237.42  
ズームレンズ群データ
群  始面    焦点距離  レンズ構成長  前側主点位置  後側主点位置
1    1      86.76        19.58         4.20         -7.33
2    6     -91.37        17.64       -26.39        -57.55
3   12     -27.69         2.00         0.02         -1.08
4   14      56.45        18.02        -1.17        -13.35
5   19      42.63        12.20         4.77         -2.83
6   22       ∞           8.00         2.63         -2.63
再至近物体距離
レンズ第一面より  2000
単レンズデータ
レンズ  始面  焦点距離
1       1   -132.01
2       2     86.22
3       4    128.83
4       6    -21.26
5       8    -57.30
6      10     26.90
7      12    -27.69
8      15     36.94
9      17    -78.10
10      19     23.84
11      20    -53.41
12      22      0.00
【００５６】
【表１】
2014038237.tif 000005
【００５７】
図１３は各実施例のズームレンズを撮影光学系として用いた撮像装置（テレビカメラシステム）の要部概略図である。
図１３において１０１は実施例１〜６のいずれか１つのズームレンズである。１１５はカメラである。ズームレンズ１０１はカメラ１１５に対して着脱可能になっている。１１６はカメラ１１５にズームレンズ１０１を装着することにより構成される撮像装置である。ズームレンズ１０１は第１レンズ群Ｌ１、合焦を行う変倍部Ｌ２、変倍部Ｌ３４、第５レンズ群Ｌ５を有している。変倍部Ｌ２、Ｌ３４は変倍又は合焦の為に光軸上を移動する第２レンズ群、変倍に伴う像面変動を補正する為または変倍のために光軸上を移動する第３レンズ群と第４レンズ群が含まれている。
【００５８】
ＳＰは開口絞りである。１０６、１０７は、各々変倍部Ｌ２、変倍部Ｌ３４を光軸方向に駆動するヘリコイドやカム等の駆動機構である。１０８〜１１０は駆動機構１０６、１０７及び開口絞りＳＰを電動駆動するモータ（駆動手段）である。１１１〜１１３は、変倍部Ｌ２、変倍部Ｌ３４の光軸上の位置や、開口絞りＳＰの絞り径を検出する為のエンコーダやポテンショメータ、あるいはフォトセンサ等の検出器である。
【００５９】
カメラ１１５において、１０２はカメラ１１５内の光学フィルタや色分解プリズムに相当するガラスブロック、１０３はズームレンズ１０１によって形成された被写体像を受光するＣＣＤセンサやＣＭＯＳセンサ等の固体撮像素子（光電変換素子）である。また、１０４はカメラ１１５及びズームレンズ本体１０１の各種の駆動を制御するＣＰＵである。このように本発明のズームレンズをテレビカメラに適用することにより、高い光学性能を有する撮像装置を実現している。
【符号の説明】
【００６０】
Ｌ１：第１レンズ群
Ｌ２：第２レンズ群
Ｌ３：第３レンズ群
Ｌ４：第４レンズ群
Ｌ５：第５レンズ群
ＳＰ：開口絞り
【図１】
2014038237.tif 000007
【図２】
2014038237.tif 000008
【図３】
2014038237.tif 000009
【図４】
2014038237.tif 000010
【図５】
2014038237.tif 000011
【図６】
2014038237.tif 000012
【図７】
2014038237.tif 000013
【図８】
2014038237.tif 000014
【図９】
2014038237.tif 000015
【図１０】
2014038237.tif 000016
【図１１】
2014038237.tif 000017
【図１２】
2014038237.tif 000018
【図１３】
2014038237.tif 000019
【図１４】
2014038237.tif 000020